(57)【要約】  本発明は、直径が３．５ｍよりも大きいラジアル構造のタイヤを備えた重量がメートル法で５００トンよりも重い例えば輸送車両又は「土木」車両のような大型車両であって、少なくとも２本のタイヤを備えたフロントアクスルと、原動力の少なくとも一部を伝達する少なくとも２本のタイヤを備えた少なくとも１つのリヤアクスルとを有する大型車両に関する。本発明によれば、アクスルのうちの少なくとも１つは、アクスルの両側に１対ずつ対称に関連した少なくとも４本のタイヤを有し、２本の関連のタイヤは、互いに異なる軸方向幅を有している。
2009513415.tif 000002
【特許請求の範囲】
【請求項１】
直径が３．５ｍよりも大きいラジアル構造のタイヤを備えた重量がメートル法で５００トンよりも重い例えば輸送車両又は「土木」車両のような大型車両であって、少なくとも２本のタイヤを備えたフロントアクスルと、原動力の少なくとも一部を伝達する少なくとも２本のタイヤを備えた少なくとも１つのリヤアクスルとを有する大型車両において、前記アクスルのうちの少なくとも１つは、前記アクスルの両側に１対ずつ対称に関連した少なくとも４本のタイヤを有し、２本の関連のタイヤは、互いに異なる軸方向幅を有している、大型車両。
【請求項２】
軸方向外側の前記タイヤは、幅が狭い、請求項１記載の車両。
【請求項３】
軸方向内側の前記タイヤは、前記原動力の少なくとも一部を伝達する、請求項１又は２記載の車両。
【請求項４】
前記リヤアクスルは、前記アクスルの両側に１対ずつに対称に関連した少なくとも４本のタイヤを備え、２本の関連のタイヤは、互いに異なる軸方向幅を有する、請求項１〜３のうちいずれか一に記載の車両。
【請求項５】
前記フロントアクスルは、前記原動力の少なくとも一部を伝達する少なくとも２本のタイヤを備えている、請求項１〜４のうちいずれか一に記載の車両。
【請求項６】
前記フロントアクスルは、前記アクスルの両側に１対ずつ対称に関連した少なくとも４本のタイヤを備え、２本の関連のタイヤは、互いに異なる軸方向幅を有する、請求項１〜５のうちいずれか一に記載の車両。
【請求項７】
前記原動力を伝達する前記タイヤのうちの少なくとも何本かは、電気モータによって制御される、請求項１〜６のうちいずれか一に記載の車両。
【請求項８】
前記タイヤは、前記タイヤのビード受座を形成する第１の取付けリング及び前記第１のリングを位置決めするようにする第２の係止リングの仲介によりハブに取り付けられ、前記係止リングは、特にハブに設けられた凹部とプロフィールが相補していることの結果としてハブにしっかりと連結されている、請求項１〜７のうちいずれか一に記載の車両。
【発明の詳細な説明】
【技術分野】
【０００１】
本発明は、直径が３．５ｍよりも大きいラジアル構造のタイヤを備えた重量がメートル法で５００トンよりも重い例えば輸送車両又は「土木」車両のような大型車両（重車両）に関する。
【背景技術】
【０００２】
一般に重量物又は重い荷重を支持するために設計されたかかる車両は、２本の操舵輪（ホイール）を備えたフロント操舵アクスルと、各側に１対ずつ分布して設けられている４本の駆動輪（ホイール）を備えたとリヤアクスルを有し、リヤアクスルは、大抵の場合、剛性である。
【０００３】
アクスルは、車両の固定構造体を地面に連結できるようにする要素の組立体又は集成体として定義される。
タイヤの軸方向又は横断方向は、タイヤの回転軸線に平行である。
タイヤの円周方向又は長手方向は、タイヤの周囲に相当し、タイヤの転がり方向により定められる方向である。
タイヤの回転軸線は、タイヤが通常の使用の際に回転する中心となる軸線である。
【０００４】
積荷（荷重）を輸送する車両、特に鉱山又は砕石場で用いられるようになった車両の場合、接近及び生産の需要の問題により、これら車両の製造業者は、車両の最大積載量を増大させようとしている。その結果、車両は、ますます大型になり、かくしてそれ自体重くなり、一層重い積荷を輸送することができる。これら車両の現行の車重は、メートル法で数百トンに達する場合があり、同じことは、輸送される積荷（荷重）にもいえ、重量の合計は、メートル法で６００トンに達する場合がある。
【０００５】
車両の最大積載量は、タイヤの耐荷力に直接関連しているので、最大積載量を増大するためには、タイヤ中に入れられる空気の量を増大させることが必要であることが知られている。
【０００６】
現在、上述したように、この種の車両、例えば鉱山に用いられるダンプ車は、これら需要に応えるよう１対ずつ配置された４本のホイールが取り付けられているリヤアクスルを有している。
【０００７】
さらに、これらホイールの寸法形状及びその結果としてのタイヤの寸法形状並びに特に下方ゾーンの剛性に鑑みて、リムへのタイヤの取付けを可能にするためにはホイールを幾つかの部品の状態で製造することが必要である。交換又は保守の場合にこのようなタイヤの脱着に必要な作業は、長く且つ厄介である。これら作業中に取り扱う必要のあるクランプ部品の数は、２００を超える場合があり、クランプトルクの非常に高いレベルは、これと関連している。これら作業に要する時間はその結果として長く、したがって鉱山の開発の際の努力目標である生産性にとって好ましくない。
【発明の開示】
【発明が解決しようとする課題】
【０００８】
現在の需要は、これら車両の最大積載量の絶えざる増加に向く傾向があるので、上記において列記した種々のパラメータの結果として、タイヤの幅が広くなり、それによりタイヤの中の空気の量が増大している。タイヤの直径は、約４ｍの場合、今や、特にこれらタイヤの輸送上の理由でかかる直径をこれ以上増大させることは事実上不可能であるようになっている。事実、これらタイヤの寸法形状は、その輸送条件、特に道路の幅及び橋の桁下空間によって制限される。同様に、特に駆動力伝動システム及び制動システムの位置設定を可能にするリム直径を減少させることは、事実上不可能である。
【０００９】
これらの研究中、本発明者は、これら「広幅」タイヤにより輸送荷重の増大が効果的に可能になるが、種々の欠点が生じることを立証するのに成功した。事実、試験の示すところによれば、これらタイヤの耐摩耗性は、現行のタイヤの耐摩耗性と比べて減少した。この結果、タイヤの時期尚早な摩耗が生じ、かくして車両の効率が低下すると共に生産性が減少する。
【００１０】
さらに、国際公開第ＷＯ００／７１３６５号パンフレットは、タイヤの取付けを単純化することができる方法を記載しており、タイヤは、リムとして役立つハブに直接取り付けられる。この場合、独立のリングが、リム受座（シート）として役立ち、係止リングにより定位置に保持され、かかる係止リングは、特にプロフィールが相補している結果としてハブにしっかりと連結される。
【００１１】
かくして、本発明者は、摩耗の観点からのタイヤの性質が現行のタイヤの性質に対して見劣りしないままの状態で特に鉱山で用いられる積載車両の最大積載量の一層の増加を期待しているユーザからの新たな需要に応える仕事に取り組んだ。
【課題を解決するための手段】
【００１２】
この目的は、本発明によれば、直径が３．５ｍよりも大きいラジアル構造のタイヤを備えた重量がメートル法で５００トンよりも重い例えば輸送車両又は「土木」車両のような大型車両であって、少なくとも２本のタイヤを備えたフロントアクスルと、原動力の少なくとも一部を伝達する少なくとも２本のタイヤを備えた少なくとも１つのリヤアクスルとを有する大型車両において、前記アクスルのうちの少なくとも１つは、前記アクスルの両側に１対ずつ対称に関連した少なくとも４本のタイヤを有し、２本の関連のタイヤは、互いに異なる軸方向幅を有していることを特徴とする車両によって達成される。
【００１３】
本発明の好ましい実施形態では、軸方向外側のタイヤは、幅が狭い。
【００１４】
好ましくは又、軸方向内側のタイヤは、前記原動力の少なくとも一部を伝達する。
【００１５】
かかる車両の実施形態により、現況に対して品質が低下することはない満足のいく摩耗特性を保持しながらこの種の車両の最大積載量を増大させることができる。本発明者は特に、最大積載量の増大を達成するようタイヤの幅を広くした結果として、特に、これらタイヤがアクスルの両側に１対ずつ配置されている場合、特に車両の辿るカーブした軌道の存在に起因して摩耗の増大が生じるということを立証した。本発明によれば、軸方向外側に取り付けられた幅の狭いタイヤにより、特にこれらタイヤが原動力を伝達しない好ましい実施形態の場合、特に車両が曲がり部のコースを辿るときに生じる長手方向応力を減少させることができる。事実、対をなした又はツインタイヤを有する車両が湾曲部のコースを辿るとき、軸方向に最も外側寄りに位置するタイヤは、もし湾曲部の外側に位置決めされている場合、辿る距離が長く、湾曲部の内側に位置決めされている場合、辿る距離が短い。
【００１６】
本発明者は更に、原動力の少なくとも一部を伝達するアクスルであって、このアクスルの両側に１対ずつ対称に関連した少なくとも４本のタイヤを備えたアクスルの場合、２本の関連したタイヤが互いに異なる軸方向幅を備え、もしこれらタイヤが全て駆動タイヤである場合、タイヤの各々に伝達される力の制御は、達成するのに非常に注意を要する。事実、かかる場合、原動力の伝達は、タイヤの軸方向幅に従って変化しなければならず、したがってその走行速度が同一であり、タイヤの互いに異なる軸方向幅は、互いに異なるクラウンアーキテクチャと関連しており、したがってトレッドの厚さの互いに異なる剛性と関連しており、その結果、互いに同一のタイヤの周囲及びこれら同一タイヤに伝達される駆動力について走行速度が互いに異なることになる。
【００１７】
走行速度と関連したかかる差及びその結果としてのタイヤの「自己摩耗」を回避すると共に上述のアクスルへの原動力の少なくとも一部の伝達の実施を単純にするため、本発明の変形例では、軸方向内側のタイヤだけが原動力の少なくとも一部を伝達することが推奨される。
【００１８】
本発明の好ましい実施形態によれば、リヤアクスルは、４本のタイヤを備え、２本の軸方向外側のタイヤは、原動力を伝達せず、荷重の一部を支持するというこれらの唯一の本質的機能を有する。
【００１９】
本発明の他の変形実施形態によれば、リヤアクスルのタイヤが全て原動力の少なくとも一部を伝達するとき、リヤアクスルは有利には、互いに異なる回転速度を互いに異なるタイヤに与えることができる１個以上の装置を備え、速度は、特に種々のタイヤの摩耗を制限するように合わされている。
【００２０】
本発明の有利な一実施形態によれば、フロントアクスルの少なくとも２本のタイヤは有利には、原動力の一部を伝達することができる。
【００２１】
変形実施形態によれば、本発明によれば又、フロントアクスルは、このアクスルの両側に１対ずつ対称に関連した４本のタイヤを備え、２本の関連のタイヤは、互いに異なる軸方向幅を有する。
【００２２】
この変形実施形態によれば、好ましくは、フロントアクスルの少なくとも２本のタイヤは、上述したように原動力の一部を伝達する。好ましくは、２本の軸方向内側のタイヤは好ましくは、本発明は又、別の形式の実施形態によれば、フロントアクスルのタイヤが全て原動力の少なくとも一部を伝達するとき、フロントアクスルは、互いに異なる回転速度を互いに異なるタイヤに与えることができる１以上の装置を備えることを特徴とし、かかる速度は、特に丸い曲がり部を走行しているときに種々のタイヤの受ける摩耗を制限するように合わされている。
【００２３】
本発明の別の変形実施形態では、車両が直線状ではない軌道を辿っているときにのみ、又は好ましくは曲率半径が所定の値よりも小さい湾曲部を車両が辿っているとき、少なくとも２本のタイヤ、好ましくは軸方向外側寄りのリヤアクスルのタイヤは、原動力を伝達しない。かかる実施形態は、タイヤと原動力を伝達する部材との間に設けられた連結解除装置によって達成できる。かかる装置は、当業者に知られている任意の手段により車両の操舵部材によって制御できる。
【００２４】
同じように、本発明は有利には、車両が直線状ではない軌道を辿っているときにのみ、又は好ましくは曲率半径が所定の値よりも小さい湾曲部を車両が辿っているときにのみ効果を示すようフロントアクスルの少なくとも２本のタイヤが、原動力の一部を伝達する変形例を提供する。
【００２５】
本発明は又、各タイヤが例えばタイヤと関連したホイール内に組み込まれ又は以下に再び説明する国際公開第ＷＯ００／７１３６５号パンフレットに記載された方法の実施形態の場合にタイヤの付近でアクスルハブに組み込まれた電気モータと関連した例えば上述したような車両を提供する。
【００２６】
これら種々の考えられる実施形態によれば、電気モータをタイヤと関連して用いることにより、タイヤ及び辿る軌道の関数として原動力を可変的に分布させることができる。
【００２７】
同じように、本発明では又、原動力を伝達するタイヤのうち何本かだけが、電気モータにより制御され、これらタイヤは、例えば、フロントアクスルのタイヤであるのがよく、リヤアクスルのタイヤは、従来型のモータ付き及び伝動方式を保持する。
【００２８】
原動力が電気モータにのみ起因して得られる場合、本発明では又、タイヤのうち或る特定のものだけが、かかる電気モータと関連し、他のタイヤは、これらの本質的機能として耐荷力だけを有する。
【００２９】
本発明は又有利には、上述したような車両とアクスルへのホイールレス（wheel-less）取付け方式を組み合わせることを提案し、タイヤは、この目的でタイヤビード受座を形成する第１の取付けリング及びこの第１のリング、かくしてタイヤの位置設定を保証する第２の係止リングの介在により設けられたアクスルに定位置で取り付けられる。この種の取付けは、上述の国際公開第ＷＯ００／７１３６５号パンフレットに既に記載されている。この実施形態によれば、本発明では、係止リングを受け入れる凹部をアクスルに設けることが必要であり、これらリングのうちの２つの位置決めが、タイヤごとに必要である。かかるタイヤの取付けモードにより、本発明の車両の効率をより一層向上させることができ、それにより、タイヤの摩耗を遅くすることに加えて、タイヤ交換の場合に、作業をより迅速に実施することができる。
【００３０】
本発明の実施形態がどのようなものであれ、タイヤが全て、制動装置と個々に関連したままであり、それにより最適条件下においてこの種の車両を減速し又は停止させることができるので有利であることに変わりはない。
【発明を実施するための最良の形態】
【００３１】
本発明の他の有利な細部及び特徴は、図１及び図２を参照して行なわれる本発明の実施形態の例の説明から以下において明らかになろう。
【００３２】
図の理解を単純にするために図は同一縮尺ではない。図は、車両の長手方向中間平面を表す軸線ＸＸ′に関して対称に延びる車両の半部だけを示している。
【００３３】
図１は、本発明に従って具体化されていて、２つのアクスル５，６上に分布して設けられた６本のタイヤを備える車両半部１の略図であり、これらタイヤのうち２本は、フロントアクスル５に取り付けられた操舵タイヤである。図１は、車両の半部しか図示していないので、３本のタイヤ２，３，４のみが示されている。
【００３４】
この図１に概略的に示された車両１は、積載状態における全重量がメートル法で８００トンオーダの大型車両である。
車両に装着されているタイヤは、アスペクト比Ｈ／Ｓが０．５０に等しい大型タイヤであり、Ｈは、リムに取り付けられたタイヤの高さであり、Ｓは、タイヤがその稼働中のリムに取り付けられ、その推奨圧力までインフレートされたときのタイヤの最大軸方向幅である。このタイヤの寸法は、１００／５０Ｒ６９である。
【００３５】
車両のリヤアクスルに装着された軸方向内側のタイヤ３は、車両のフロントアクスルに装着されたタイヤ２と実質的に同一であり、したがって、寸法１００／５０Ｒ６９のものである。車両のリヤアクスルに装着された軸方向外側タイヤ４は、アスペクト比Ｈ／Ｓが１に等しい大型タイヤであり、Ｈは、リムに取り付けられたタイヤの高さであり、Ｓは、タイヤがその稼働中のリムに取り付けられ、その推奨圧力までインフレートされたときのタイヤの最大軸方向幅である。このタイヤの寸法は、４４Ｒ６９である。
【００３６】
これら種々のタイヤは、半径方向に差し向けられ、各タイヤビード内に繋留されたスチールから成る非伸長性金属ケーブルで構成されたラジアルカーカス補強材を有する。
【００３７】
タイヤは、国際公開第ＷＯ００／７１３６５号パンフレットに記載された方法を用いて取り付けられる。この方法によれば、車両の各アクスルは、タイヤビードを受け入れる受座（シート）を形成する表面を備えたリングの介在によりタイヤを受け入れるよう設計されている。これらリングの表面は有利には、形状が切頭円錐形である。受入れリングはそれ自体、係止リングの介在によりアクスルのハブに係止され、係止リングの表面の一部は、ハブに設けられていて、これら係止リングが挿入された凹部と形状が相補している。
【００３８】
タイヤ４の唯一の本質的機能は、荷重を支持することであり、即ち、これは、原動力の伝達には加担しない。かかる実施形態は、タイヤをフリーホィーリング型のシステムに固定したものから成り、それによりこのタイヤ４の自由回転が可能である。本発明は、この種の実施形態に限定されるものと理解されてはならず、他の実施形態によれば、タイヤ４は、原動力の一部を伝達することができる。
【００３９】
このように具体化された車両は、現行の車両の最大積載量よりも大きなメートル法で８００トンオーダの最大積載量が可能である。リヤアクスルに１対ずつ設けられた同一タイヤを備えた従来型車両は、運搬可能な荷重が同一の場合、結果的にタイヤの寸法は次の通り、即ち６９／７０Ｒ６９である。
【００４０】
この種の車両は存在していないので、試験を実施することは不可能であったが、計算及びシミュレーションにより、当業者がかかる車両により運搬可能な荷重、その寸法形状並びにタイヤに課される応力及びその結果としてのタイヤが耐える摩耗及び疲労の見積りについての情報を得ることができる単純な方法が提供される。
【００４１】
このようにシミュレーションを行なうと、本発明の車両に取り付けられたタイヤの有効寿命及び従来型車両のリヤアクスルに取り付けられたタイヤの有効寿命を求めることができた。本発明に従って得られた結果は、良好である。
【００４２】
本発明では、フロントアクスル５に取り付けられたタイヤ２も又、原動力の伝達に加担することができる。さらに、タイヤ２が原動力の一部を伝達するということにより、カーブした軌道に関して車両の取扱い性が向上する場合がある。事実、部分的にフロントアクスル５のタイヤにより伝達される原動力は、これらのタイヤを方向転換させたとき、特に車両が積載状態にあるとき、軌道の追従を容易にすることができる。事実、或る特定の積載及び走行条件下においては、カーブした軌道に関するかかる車両の取扱いは、非常に困難であり又は事実上不可能である。というのは、かかる車両は、フロントアクスルのタイヤにより課される方向転換に応答しないからである。これら条件の結果として、更に、フロントアクスルのタイヤの割れ及び破壊が生じる場合がある。
【００４３】
図２は、フロントアクスル５′に取り付けられていて、タイヤ２′とツインになった補助タイヤ７が設けられている点において上述の実施形態とは異なる本発明の別の実施形態としての車両１′を示している。リヤアクスルの場合と同様に、タイヤ７′は有利には、これがツイン関係をなすタイヤ２′の軸方向幅よりも小さな軸方向幅を有する。このタイヤの追加により、荷重をより多くの本数のタイヤに分布させることができる。これらタイヤの追加により、荷重をより多くのタイヤに分布させることができる。かかる実施形態により、例えば、最大積載量をより一層増大させることができ、又は変形例として、所与の荷重の場合にタイヤの寸法を減少させることができる。特に、タイヤのサイズの減少により、特に、幅が最大積載量の増加の場合でも一定のままである車両を設計することが可能である。かかる特徴は、車両が幅を広くすることができない設定幅の軌道を有する鉱山において用いられなければならない場合に有利な場合がある。本発明のかかる形態により、特に、最大積載量がメートル法で１０００トンよりも大きくなる場合がある。
【００４４】
車両１′のかかる実施形態では、タイヤ７′は、荷重の一部を支持する機能しか備えなくてもよい。他の実施形態によれば、タイヤ７′は、上述したように永続的に又は一時的に、或いは変形例として、例えば電気モータを用いることにより可変的に原動力の伝達に加担することができる。
【図面の簡単な説明】
【００４５】
【図１】本発明の車両の上から見た略図である。
【図２】本発明の第２の実施形態の車両の上から見た略図である。
【図１】
2009513415.tif 000003
【図２】
2009513415.tif 000004
【国際調査報告】
2009513415.tif 000005
2009513415.tif 000006
2009513415.tif 000007
2009513415.tif 000008
2009513415.tif 000009
2009513415.tif 000010